(57)【要約】【課題】  端末全体の部品点数を抑えつつも、通常バッテリと特殊バッテリの双方を適切に保持し、かつ特に特殊バッテリ使用時における高い耐衝撃性を持つ携帯端末用電池蓋を提供すること。【解決手段】  携帯端末用電池蓋は、通常バッテリと、電池室の長手方向と直交する面での断面形状が該通常バッテリと異なる特殊バッテリとを使用可能な携帯用端末用の電池蓋であって、弾性を有し、かつ携帯用端末に対して着脱自在に構成され、端末に取り付けられた状態において、端末における電池室の開口形成面と略当接し、該開口を塞ぐ第一領域と、該第一領域に形成され、電池室に収納された特殊バッテリにおける開口から突出した一部領域を収納する凹部を持つ第二領域と、通常バッテリ使用時において、電池室に収納された通常バッテリが第二領域に進入することを制限する進入制限手段と、を有する構成とした。【選択図】      図３
2009158446.tif 000002
【特許請求の範囲】
【請求項１】
通常バッテリと、電池室の長手方向と直交する面での断面形状が該通常バッテリと異なる特殊バッテリと、を使用可能な携帯用端末用の電池蓋であって、
弾性を有し、かつ携帯用端末に対して着脱自在に構成され、
前記端末に取り付けられた状態において、前記端末における電池室の開口形成面に略当接し、該開口を塞ぐ第一領域と、
該第一領域に形成され、前記電池室に収納された特殊バッテリにおける前記開口から突出した一部領域を収納する凹部を持つ第二領域と、
通常バッテリ使用時において、前記電池室に収納された前記通常バッテリが前記第二領域に進入することを制限する進入制限手段と、を有することを特徴とする携帯端末用電池蓋。
【請求項２】
請求項１に記載の携帯端末用電池蓋において、
前記進入制限手段は、前記第二領域の開口部近傍に形成され、前記通常バッテリの前記第二領域に向かう方向への移動を制限するリブを有することを特徴とする携帯端末用電池蓋。
【請求項３】
請求項２に記載の携帯端末用電池蓋において、
前記リブは、前記電池蓋を前記端末に取り付けた状態において、前記電池室の奥行方向に沿って突出しており、前記電池室内に収納された前記通常バッテリを付勢することを特徴とする携帯端末用電池蓋。
【請求項４】
請求項２または請求項３に記載の携帯端末用電池蓋において、
前記リブは、前記第二領域の開口部を狭める方向に突出しており、前記電池蓋を前記端末に取り付けた状態において前記電池室内に収納された前記通常バッテリが前記第二領域に向かう方向へ移動した際にストッパとして機能することを特徴とする携帯端末用電池蓋。
【請求項５】
請求項１から請求項４のいずれかに記載の携帯端末用電池蓋において、
前記特殊バッテリは、自身の前記断面形状が前記通常バッテリの前記断面形状に三角領域を付加した形状として現れる頂角部を持つ形状であり、
前記第二領域の凹部は、前記特殊バッテリの頂角部が適合するように、前記断面形状がＶ字状であることを特徴とする携帯端末用電池蓋。
【請求項６】
請求項５に記載の携帯端末用電池蓋において、
前記進入制限手段は、前記Ｖ字状の凹部を形成する一対の斜面であることを特徴とする携帯端末用電池蓋。
【請求項７】
請求項１から請求項６のいずれかに記載の携帯端末用電池蓋において、
前記第一領域は、前記開口形成面に適合する面形状を有することを特徴とする携帯端末用電池蓋。
【請求項８】
請求項１から請求項７のいずれかに記載の携帯端末用電池蓋に相当する電池蓋領域と、
前記携帯端末の少なくとも各端部を覆う被覆領域と、が一体形成されており、
通常バッテリと特殊バッテリのいずれを使用した場合であっても、使用されるバッテリを前記電池蓋領域によって保持かつ保護すると同時に、前記保護領域によって前記携帯端末を保護することを特徴とする携帯端末用カバー。
【発明の詳細な説明】
【技術分野】
【０００１】
本発明は、携帯性に富んだ小型端末、例えばモバイルプリンタの電池蓋に関する。
【背景技術】
【０００２】
近年、携帯電話、モバイルプリンタなどの携帯端末をより長時間使用したい、または特殊な環境下での使用に対応させたいというユーザの要望がある。このような要望に答えるため、例えば特許文献１のように、携帯端末に通常備えられているバッテリ（以下、便宜上、通常バッテリという）の代わりに大容量のバッテリ（以下、特殊バッテリという）を取り付ける構成が考えられている。
【０００３】
【特許文献１】特開平５−３１６０１４公報
【０００４】
特許文献１に開示されている携帯端末は携帯電話であり、携帯端末本体に形成された切欠き部に通常バッテリまたは特殊バッテリを嵌め込むことによってバッテリが装着される。そして、これらのバッテリの外殻の一部は、携帯端末自身の外殻を兼ねるようになっている。
【０００５】
一方、特許文献１とは異なるタイプのバッテリ装着構造を有する携帯端末、例えば図１に示されるようなモバイルプリンタにおいては、プリンタ内部の電池室内に通常バッテリが完全に収納されるように構成される。電池室は、該電池室の開口に適合する形状の電池蓋によって閉空間となる。従って、電池蓋が取り付けられた電池室内に収納された通常バッテリは、外部に飛び出さないように保持されかつ外部からの負荷に対して適切に保護された状態にある。
【０００６】
上記のモバイルプリンタは、図１に示されるように高さ方向（図中Ｚ方向）、奥行方向（図中Ｙ方向）の寸法に対して幅方向（図中Ｘ方向）の寸法が大きい、略直方体形状となっている。このモバイルプリンタ１００においては、プリンタ自身の大型化を招かない範囲内で通常バッテリ３１０の容量をできる限り大きくとるようにするため、棒状の通常バッテリ３１０が使用される。すなわち、幅方向に長い電池室１１０がモバイルプリンタ１００の後部に形成されており、通常バッテリ３１０は、その長手方向が電池室の幅方向となるように収納される（図１（Ａ））。
【０００７】
このようなモバイルプリンタ１００において、特殊バッテリを使用する場合は、上記通常バッテリ３１０よりも大型で、かつ長手方向と直交する面での断面形状が通常バッテリとは異なるものを特殊バッテリ３３０とする（図１（Ｂ））。特殊バッテリ３３０を使用する場合、該特殊バッテリ３３０は電池室１１０内に収まりきらず一部が端末本体から突出した状態になる。そのため、通常バッテリ使用時に用いられる電池蓋をそのまま使用することはできない。特殊バッテリ使用時には、電池室１１０から突出した状態の特殊バッテリを適切に保持、保護するための専用の電池蓋が必要とされる。つまり、従来の携帯用小型端末では、使用するバッテリに応じて異なる電池蓋を用意しなくてはならず、部品点数の増加を招いていた。
【０００８】
加えて、特殊バッテリは電池室から突出するため、使用時には必ず収納状態にある通常バッテリに比べて外部からの衝撃を受けやすい。従って、特殊バッテリ専用の電池蓋は該特殊バッテリをより堅固に保護できるように耐衝撃性を備えた特殊かつ高価な構成にしなくてはならなかった。
【発明の開示】
【発明が解決しようとする課題】
【０００９】
本発明は、以上の事情に鑑み、端末全体の部品点数を抑えつつも、通常バッテリと特殊バッテリの双方を適切に保持し、かつ特に特殊バッテリ使用時における高い耐衝撃性を持つ携帯端末用電池蓋、および該電池蓋を含む携帯端末用カバーを提供することを目的とする。
【課題を解決するための手段】
【００１０】
上記課題を解決するため、本発明に係る携帯端末用電池蓋は、通常バッテリと、電池室の長手方向と直交する面での断面形状が該通常バッテリと異なる特殊バッテリとを使用可能な携帯用端末用の電池蓋であって、弾性を有し、かつ携帯用端末に対して着脱自在に構成され、端末に取り付けられた状態において、端末における電池室の開口形成面に略当接し、該開口を塞ぐ第一領域と、該第一領域に形成され、電池室に収納された特殊バッテリにおける開口から突出した一部領域を収納する凹部を持つ第二領域と、通常バッテリ使用時において、電池室に収納された通常バッテリが第二領域に進入することを制限する進入制限手段と、を有することを特徴とする。
【００１１】
また、請求項２に記載の携帯端末用電池蓋によれば、進入制限手段が、第二領域の開口部近傍に形成され、通常バッテリの第二領域に向かう方向への移動を制限するリブを有するように構成することができる。
【００１２】
詳しくは、請求項３に記載の携帯端末用電池蓋によれば、リブは、電池蓋を端末に取り付けた状態において、電池室の奥行方向に沿って突出しており、電池室内に収納された通常バッテリを付勢することが望ましい。
【００１３】
さらには、請求項４に記載の携帯端末用電池蓋によれば、リブを、第二領域の開口部を狭める方向に突出させ、電池蓋を端末に取り付けた状態において電池室内に収納された通常バッテリが第二領域に向かう方向へ移動した際にストッパとして機能するように構成しても良い。
【００１４】
また、請求項５に記載の携帯端末用電池蓋によれば、特殊バッテリが、自身の断面形状が通常バッテリの断面形状に三角領域を付加した形状として現れる頂角部を持つ形状である場合に、第二領域の凹部は、特殊バッテリの頂角部が適合するように、断面形状がＶ字状であることが望ましい。このように構成した場合、進入制限手段は、上記Ｖ字状の凹部を形成する一対の斜面を進入制限手段として用いることができる（請求項６）。
【００１５】
請求項７に記載の携帯端末用電池蓋によれば、第一領域は、開口形成面に適合する面形状を有することが望ましい。これにより、開口形成面との当接状態が確実になされ、端末に対して電池蓋が不用意にずれる等のおそれが有効に低減される。
【００１６】
別の観点から、請求項８に記載の携帯端末用カバーは、上記特徴を持つ携帯端末用電池蓋に相当する電池蓋領域と、携帯端末の少なくとも各端部を覆う被覆領域と、が一体形成されており、通常バッテリと特殊バッテリのいずれを使用した場合であっても、使用されるバッテリを電池蓋領域によって保持かつ保護すると同時に、保護領域によって携帯端末を保護することを特徴とする。
【発明の効果】
【００１７】
以上のように、本発明に係る携帯端末用電池蓋によれば、電池室から突出した特殊バッテリの一部が確実に収納される領域を設けつつも、通常バッテリ使用時に該領域に通常バッテリが進入することを制限する手段を有する。これにより、通常バッテリ使用時、該バッテリを電池室内に適切に収納することができ、特殊バッテリのような大型のバッテリ使用時、該バッテリの突出部も含めて確実に保持、保護することができる。つまり、本発明によれば、いずれのバッテリにも共通の電池蓋が提供される。従って、ユーザは、従来のように、各バッテリに対応した複数種類の電池蓋を常備する必要が無くなり、利便性が向上する。
【００１８】
さらに、本発明に係る携帯端末用カバーによれば、上記のような種類の異なるバッテリに共通な電池蓋としての機能に加え、該携帯端末全体を外的な負荷から適切に保護する機能も兼ね備えたカバーが提供される。
【発明を実施するための最良の形態】
【００１９】
図面を参照して本発明の実施形態の携帯端末用カバーを説明する。まず、本実施形態の携帯端末用カバーを説明するに先立ち、該カバーを好適に装着することができる携帯端末の一例であるモバイルプリンタ１００について概説する。図１は、本実施形態の携帯端末用カバーを使用することができる携帯端末、より詳しくはモバイルプリンタ１００の背面１３０を明示した斜視図である。具体的には、図１（Ａ）は、通常バッテリ３１０装着時のモバイルプリンタ１００を示す斜視図で、図１（Ｂ）は、特殊バッテリである大容量バッテリ３３０装着時のモバイルプリンタ１００を示す斜視図である。また、図２（Ａ）は、通常バッテリ３１０の外観を示し、図２（Ｂ）は、大容量バッテリ３３０の外観を示す。
【００２０】
図１（Ａ）、（Ｂ）に示すモバイルプリンタ１００は、背面１３０に開口１１０ａを持つ電池室１１０が配設されている。なお以下の本文では、説明の便宜上、モバイルプリンタ１００は、底面を水平面に載置して使用する通常使用状態にあるものとする。そして、通常使用状態のモバイルプリンタ１００において、Ｘ、Ｙ、Ｚの各方向を定義する。具体的には、モバイルプリンタ１００の幅方向つまり印刷媒体（例えば印刷用紙）の幅方向をＸ方向とする。また、モバイルプリンタ１００の奥行方向をＹ方向とする。また、Ｘ、Ｙの各方向に直交する方向つまりモバイルプリンタ１００の高さ方向（鉛直方向）をＺ方向とする。
【００２１】
通常バッテリ３１０は、並設された二本の丸棒状の電池を熱収縮チューブ等により固定した組電池を想定する。従って、通常バッテリ３１０は、図２（Ａ）に示すように、長手方向（Ｘ方向）に直交する面（Ｙ−Ｚ平面）での断面Ｓ１が楕円形状を呈する。また、大容量バッテリ３３０は、三角形状に積み上げた三本の丸棒状の電池を熱収縮チューブ等により固定した組電池を想定する。従って、図２（Ｂ）に示すように、大容量バッテリＢ２は、Ｙ−Ｚ平面における断面形状が、通常バッテリ３１０の断面Ｓ１に相当する断面領域Ｓ１ａと、三本目の電池の配設位置に相当する三角形状の断面領域Ｓ２とを接合した形状を呈する。以下、大容量バッテリ３３０の断面領域Ｓ１ａに相当する部位をベース部３３１という。また大容量バッテリ３３０の断面領域Ｓ２に相当する部位、つまり三本目の電池が配設されている部位を突出部、特に本実施形態では頂角部３３２という。
【００２２】
図１（Ａ）に示すように、モバイルプリンタ１００の電池室１１０は、通常バッテリ３１０が適切に収納されるような形状を有する。従って、図２（Ｂ）に示すように、大容量バッテリ３３０を装着した場合、ベース部３３１は収納されるが頂角部３３２は電池室１１０に収納しきれず外部に突出してしまう。従って、通常バッテリ３１０使用時に開口１１０ａに嵌め込まれる従前の電池蓋では、大容量バッテリ３３０使用時に対応することができない。また、大容量バッテリ３３０専用の電池蓋は上述した突出した部位に対応した特殊な形状を有する必要があるため、保管や持ち運びが不便である。加えて大容量バッテリ専用の電池蓋は、通常の電池蓋と併せ持たなければならないため、部品点数の増加を招くと言う問題がある。
【００２３】
図３は、上記の問題を適切に解決するために構成された本実施形態の携帯端末用カバー１０を示す斜視図である。図４は、本実施形態の携帯端末用カバー１０を示す上面図である。図５は、図４に示す携帯端末用カバー１０のＡＡ線での断面図である。図６は、本実施形態の携帯端末用カバー１０の正面図である。図７は、図６に示す携帯端末用カバー１０のＢＢ線での断面図である。
【００２４】
図３から図７の各図に示すように、携帯端末用カバー１０は、正面部１１、一対の側面部１２、上面部１３、背面部１４、底面部１５を有する。また、携帯端末用カバー１０は、上記各面部１１〜１５によって規定される収納空間１６を有する。収納空間１６は、モバイルプリンタ１００を収納するために配設されている。従って、収納空間１６はモバイルプリンタ１００に適合する形状を有する。
【００２５】
開口部１６ａは、収納空間１６にモバイルプリンタ１００を収納するために形成されている。また、本実施形態では収納される携帯端末としてモバイルプリンタ１００を想定するため、開口部１６ａは該モバイルプリンタ１００に対する給排紙口としても機能する。
【００２６】
ここで、開口部１６ａをあまりに大きく配設してしまうと、収納空間１６内に収納されたモバイルプリンタ３００が安易に該空間から離脱してしまう、つまり携帯端末用カバー１０から外れてしまうおそれがある。一方で、開口部１６ａを小さくしすぎると、モバイルプリンタ１００に対して給排紙が困難になる。従って、開口部１６ａは、Ｘ方向においては、モバイルプリンタ１００の幅よりは短く印刷用紙の幅よりは大きく設定される。また、開口部１６ａは、Ｙ方向においては、モバイルプリンタ１００の奥行よりは短く設定される。
【００２７】
本実施形態では、各図に示すように開口部１６ａは、正面部１１から上面部１３にわたって形成されている。これは、収納空間１６に収納された状態において、モバイルプリンタ１００の給紙口および排紙口がそれぞれ正面部１１、上面部１３側に位置するからである。つまり、開口部１６ａは、必ずしも本実施形態のような位置に形成されるものではない。開口部１６ａの形成位置は、モバイルプリンタ１００における給紙口や排紙口、さらには表示部等の配設位置に応じて適切に変更することができる。
【００２８】
携帯端末用カバー１０は、弾性部材を用いて作製される。本実施形態では、弾性部材としてシリコンゴムを想定する。このような弾性部材を使用することによって、衝撃や接触等の外的負荷は、弾性部材によって有効に吸収される。従って、収納空間１６に収納されたモバイルプリンタ１００が受ける上記外的負荷による影響を低減することができる。
【００２９】
携帯端末用カバー１０にモバイルプリンタ１００を収納する場合には、携帯端末用カバー１０の材料が持つ弾性を利用する。具体的には、開口部１６ａを一時的に拡張させてモバイルプリンタ１００を収納空間１６に挿置する。収納空間１６に挿置されたモバイルプリンタ１００は、携帯端末用カバー１０の弾性によって該カバー内面に密着し、堅固に保持される。
【００３０】
なお、収納空間１６に収納されたモバイルプリンタ１００は、必ずしも全領域にわたって弾性部材によって被覆されるには及ばない。つまり、収納空間１６を規定する背面部１４以外の各面部１１〜１３、１５は、少なくともモバイルプリンタ１００における端部が被覆されるように形成されていれば足りる。例えば、本実施形態では、一対の側面部１２中央には、貫通窓１２ｗが設けられている。貫通窓１２ｗは、収納空間１６に収納されたモバイルプリンタ１００が該プリンタ１００の側面に配設されている種々の外部接続端子（不図示）を介して他の外部機器と優先あるいは無線で接続することを許容する。外部接続端子としては、ＵＳＢ端子や赤外線ポート等が例示される。
【００３１】
収納空間１６内において、背面部１４の反対側に相当する領域には、電池室１１０用の電池蓋として機能する蓋領域５０が形成されている。蓋領域５０は、当接部５１、凹部５２、一対のリブ５３を有する。
【００３２】
当接部５１は、収納空間１６に収納されたモバイルプリンタ１００の背面１３０に当接することにより電池室１１０の開口１１０ａを塞ぐ部位である。図５に示す当接部５１は、背面１３０に略対応する形状を有する。但し、本発明に係る携帯端末用カバーにおいて、当接部は、少なくとも電池室の開口を塞ぐために十分な形状を有し、かつ該開口を確実に塞ぐことができる位置に配設されていればよい。
【００３３】
また、使用される電池の保持、保護機能を向上させるためには、当接部５１は、背面１３０に密着するような表面形状を有することが望ましい。例えば、背面１３０が立体的にあしらわれたストライプ形状を有する場合、該ストライプ形状に適合する凹凸形状を当接部５１にも施すとよい。
【００３４】
凹部５２は、大容量バッテリ３３０を装着したモバイルプリンタ１００が携帯端末用カバー１０に収納されたときに、電池室１１０から突出する頂角部３３２を収納するための部位である。ここで凹部５２は、ただ単に頂角部３３２を収納するのではなく、頂角部３３２を適切に保持、保護する必要がある。従って、図７に示すように、凹部５２は、頂角部３３２が適合するように、Ｙ−Ｚ平面での断面形状がＶ字状を有するように構成される。つまり、凹部５２の開口５２ａの形状は、電池室１１０の開口１１０ａに略等しい。あるいは、凹部５２の開口５２ａは、携帯端末用カバー１０が弾性部材で作成されていることを踏まえると、電池室の開口１１０ａよりも若干縮小形状であってもよい。
【００３５】
一対のリブ５３は、凹部５２の開口５２ａ端部であって、凹部５２の長手方向（Ｘ方向）に沿って形成されている。一対のリブ５３は、収納されたモバイルプリンタ１００の奥行方向（Ｙ方向）に突出した形状を有する。一対のリブ５３は、収納空間１６０に収納されたモバイルプリンタ１００の電池室１１０に通常バッテリ３１０が収納されている場合に、該通常バッテリ３１０が凹部５２に進入することを制限する。
【００３６】
また、本実施形態では、通常バッテリ３１０と大容量バッテリ３３０の形状より詳しくは断面形状が異なる。従って、凹部５２を形成する斜面自体も通常バッテリ３１０の凹部５２への進入を制限する機能を持つ。つまり、図２に示すように、断面形状が通常バッテリ３１０を単純に延伸させた形状ではない大容量バッテリ３３０を用いる場合には、凹部５２の斜面が進入制限手段として機能するため、リブ５３は設けなくても良い。これにより、携帯端末用カバー１０を簡素な構成にして製造コストを抑えることができる。
【００３７】
図８（Ａ）は、通常バッテリ３１０使用時のモバイルプリンタ１００を収納した携帯端末用カバー１０のＹ−Ｚ平面での断面図である。また、図８（Ｂ）は、大容量バッテリ３３０使用時のモバイルプリンタ１００を収納した携帯端末用カバー１０のＹ−Ｚ平面での断面図である。なお、図８（Ａ）、（Ｂ）では、説明の便宜上、モバイルプリンタ１００と携帯端末用カバー１０間に微小な空間を設けているが、実際は、既述のように両者は密着状態にある。つまり、収納空間１６に収納されたモバイルプリンタ１００は、背面１３０が当接部５１に密着している。以下の各図においても同様である。
【００３８】
図８（Ａ）に示すように、通常バッテリ３１０使用時のモバイルプリンタ１００を収納時、携帯端末用カバー１０は、一対のリブ５３によって付勢することにより、通常バッテリ３１０を電池室１１０に留めている。また、仮に比較的大きな振動等の外的負荷が携帯端末用カバー１０（携帯端末用カバー１０）に加わったことにより、通常バッテリ３１０がリブ５３を変形させつつ凹部５２へ進入しようとしても、凹部５２を形成する斜面によって進入が制限される。つまり、通常バッテリ３１０使用時は、リブ５３と凹部５２の斜面によって凹部５２内への進入が制限され、安定した状態での保持が保証される。
【００３９】
また、図８（Ｂ）に示すように、大容量バッテリ３３０使用時のモバイルプリンタ１００を収納時、携帯端末用カバー１０は、特に頂角部３３２を凹部５２に嵌合させることにより、大容量バッテリ３３０を確実に保持している。
【００４０】
また、図８（Ａ）、（Ｂ）に示すように、いずれのバッテリ使用時であっても、バッテリの周囲は、電池室１１０および弾性ある蓋領域５０によって適切に覆われた状態にある。従って、外的負荷に対するバッテリの保護が十分になされており、破損のおそれが低減される。
【００４１】
以上が本発明の実施形態の説明である。次に上記実施形態の変形例をいくつか説明する。各変形例は、上記実施形態とは異なる構成を有しつつも、上記実施形態と同等以上の効果を奏する。
【００４２】
図９は、変形例の蓋領域５０を示すＹ−Ｚ断面図である。図１０（Ａ）は、通常バッテリ３１０使用時のモバイルプリンタ１００を収納した変形例の携帯端末用カバー１０のＹ−Ｚ断面図である。また、図１０（Ｂ）は、大容量バッテリ３３０使用時のモバイルプリンタ１００を収納した変形例の携帯端末用カバー１０のＹ−Ｚ断面図である。図９に示す変形例は、リブ５３の代替として、凹部５２の開口５２ａを狭めるようにＸ方向に延出するリブ５４を有する。図１０（Ａ）に示すように、リブ５４を設けることによって、通常バッテリ３１０は、電池室１１０内からの飛び出し（つまり、凹部５２への進入）を有効に防止される。また、図１０（Ｂ）に示すように、大容量バッテリ３３０使用時は、リブ５４が変形して大容量バッテリ３３０の凹部への進入が許容される。そのため、上記実施形態と同様、電池室１１０と凹部５２によって確実に保持される。
【００４３】
なお、図９に示すように、本変形例の蓋領域５０は、開口５２ａを狭めるリブ５４を有する。従って、上記実施形態とは異なり、大容量バッテリ３３０の断面形状が通常バッテリ３１０の断面形状を延伸させたような形状、つまり突出部がベース部を延伸させた形状であっても使用することができる。
【００４４】
さらに、上記では、一部に蓋領域５０を有する携帯端末用カバー１０を説明した。ここで、モバイルプリンタ等の携帯端末全体を保護する必要がないのであれば、蓋領域５０のみを抽出して、該端末にずれることなく確実に取り付け、かつ安全に取り外すことができるような電池蓋として構成しても良い。
【００４５】
また、上述したバッテリは実施形態で説明したような通常バッテリと大容量バッテリに限定されるものではない。通常バッテリと通常バッテリよりも大型で断面形状が異なる特殊バッテリを使用可能な携帯端末であれば、本発明を適用することが可能である。
【図面の簡単な説明】
【００４６】
【図１】図１（Ａ）は、通常バッテリ装着時のモバイルプリンタを示す斜視図で、図１（Ｂ）は、特殊バッテリ装着時のモバイルプリンタを示す斜視図である。
【図２】図２（Ａ）は、通常バッテリの外観を示し、図２（Ｂ）は、大容量バッテリの外観を示す図である。
【図３】本実施形態の携帯端末用カバーを示す斜視図である。
【図４】本実施形態の携帯端末用カバーを示す上面図である。
【図５】図４に示す携帯端末用カバーのＡＡ線での断面図である。
【図６】本実施形態の携帯端末用カバーの正面図である。
【図７】図６に示す携帯端末用カバーのＢＢ線での断面図である。
【図８】図８（Ａ）は、通常バッテリ使用時のモバイルプリンタを収納した携帯端末用カバーのＹ−Ｚ平面での断面図である。また、図８（Ｂ）は、大容量バッテリ使用時のモバイルプリンタを収納した携帯端末用カバーのＹ−Ｚ平面での断面図である。
【図９】変形例の蓋領域を示すＹ−Ｚ断面図である。
【図１０】図１０（Ａ）は、通常バッテリ使用時のモバイルプリンタを収納した変形例の携帯端末用カバーのＹ−Ｚ断面図である。また、図１０（Ｂ）は、大容量バッテリ使用時のモバイルプリンタを収納した変形例の携帯端末用カバーのＹ−Ｚ断面図である。
【符号の説明】
【００４７】
１０  携帯端末用カバー
１６  収納空間
５０  蓋領域
５１  当接部
５２  凹部
５３、５４  リブ
１００  モバイルプリンタ
１１０  電池室
３１０  通常バッテリ
３３０  特殊バッテリ
【図１】
2009158446.tif 000003
【図２】
2009158446.tif 000004
【図３】
2009158446.tif 000005
【図４】
2009158446.tif 000006
【図５】
2009158446.tif 000007
【図６】
2009158446.tif 000008
【図７】
2009158446.tif 000009
【図８】
2009158446.tif 000010
【図９】
2009158446.tif 000011
【図１０】
2009158446.tif 000012